(57)【要約】【課題】Ｈ形建枠の縦材に設けあるボルト挿通孔を利用し、このＨ形建枠の縦材にボルトで取り付けられる吊り材兼用金具からなる荷受けステージ取付装置を提供する。【解決手段】Ｈ形建枠１に足場板を架け渡しながら多段状に組み立てられる枠組足場Ｗから外側へ水平に張り出される梁枠６と、梁枠６の先端下部に枢着される斜材８とを備えた荷受けステージＳを、枠組足場Ｗに取り付ける荷受けステージの取付装置であって、上下に隣合うＨ形建枠１，１の上段側Ｈ形建枠１の縦材２と下段側Ｈ形建枠１の縦材２とに亘って添装される吊り材兼用金具９からなり、吊り材兼用金具９は、その上下両端部に梁枠６の基端部及び斜材８の遊端部が夫々切り離し可能に連結されると共に、その上下両端部が上下に隣合うＨ形建枠１，１の夫々の縦材２に対し各縦材２のボルト挿通孔に挿通されるボルト・ナットで取り付けられる。【選択図】図１
2006233478.tif 000002
【特許請求の範囲】
【請求項１】
両側一対の縦材と両縦材をつなぐ横材とによりＨ形に形成され且つ各縦材には横材との接合部の下部側にボルト挿通孔を横材と平行に貫設してなるＨ形建枠の横材間に足場板を架け渡しながら多段状に組み立てられる枠組足場から外側へ水平に張り出される梁枠と、この梁枠の先端下部に枢着される斜材とを備えた荷受けステージを、前記枠組足場の外側部所要高さ位置に取り付けるための枠組足場用荷受けステージの取付装置であって、
上下に隣合うＨ形建枠の上段側Ｈ形建枠の縦材と下段側Ｈ形建枠の縦材とに亘って添装される吊り材兼用金具からなり、
前記吊り材兼用金具は、この金具の上下両端部に梁枠の基端部及び斜材の遊端部が夫々切り離し可能に連結されると共に、この金具の上下両端部が上下に隣合うＨ形建枠の夫々の縦材に対し各縦材のボルト挿通孔に挿通されるボルト及びナットによって取り付け固定されるようになっている枠組足場用荷受けステージの取付装置。
【請求項２】
前記吊り材兼用金具は、Ｈ形建枠の縦材に添接される背面板部と、両側板部とによって断面コ字状に形成されていて、背面板部が前記ボルト及びナットによってＨ形建枠の縦材に固定されるようになっていると共に、両側板部の上端部内に前記梁枠の基端側縦枠材が挿入されて、両側板部から基端側縦枠材を貫通するボルト及びナットによって固定され、両側板部の下端部内に前記斜材の遊端部が挿入されて、両側板部から斜材を貫通するボルト及びナットによって取り付けられるようになっている請求項１に記載の枠組足場用荷受けステージの取付装置。
【請求項３】
前記吊り材兼用金具の両側板部上端部にピン掛止用溝が形成されていて、このピン掛止用溝に、前記梁枠の基端側縦枠材の上端部に突設された支持ピンが掛止されるようになっている請求項２に記載の枠組足場用荷受けステージの取付装置。
【請求項４】
前記吊り材兼用金具の背面板部にはその外面の上下両端部に夫々、Ｈ形建枠の縦材に嵌合するコ字状支持片が取り付けられている請求項２又は３に記載の枠組足場用荷受けステージの取付装置。
【発明の詳細な説明】
【技術分野】
【０００１】
本発明は、足場を組んでマンション等の建物を築造するときにクレーンで吊り上げた建築資材等の荷物を受け取るための荷受けステージを枠組足場の外側所要高さ位置に取り付ける荷受けステージの取付装置に関するもので、特に、両側一対の縦材と両縦材の夫々中間部どうしをつなぐ横材とによりＨ形に形成されて各縦材には横材との接合部の下部側にボルト挿通孔を貫設してなるＨ形建枠の横材間に足場板を架け渡しながら多段状に組み立てられる枠組足場に使用する荷受けステージ取付装置に関する。
【背景技術】
【０００２】
従来、Ｈ形建枠によって多段状に組み立てられる枠組足場に使用する荷受けステージ取付装置は、両側一対の縦材と両縦材の夫々上端部どうしをつなぐ横材からなる門形建枠によって多段状に組み立てられる枠組足場用の荷受けステージ取付装置と同じものが使用されており、この取付装置は特許文献１に開示されている。
【０００３】
この荷受けステージ取付装置は、Ｈ形建枠によって多段状に組み立てられる枠組足場から外側へ水平に張り出される梁枠と、この梁枠の先端下部に枢着される斜材とを備えてなる荷受けステージを、枠組足場の外側部所要高さ位置に取り付けるにあたって、斜材の遊端部と梁枠の基端部とを吊り材によって枢支連結し、荷受けステージの梁枠基端部及び斜材の遊端部を、枠組足場の外側所要部に夫々取付金具によって取り付けるようにしたものである。
【特許文献１】特開平１１−１４８２２０号公報
【発明の開示】
【発明が解決しようとする課題】
【０００４】
上記のような構造の取付装置では、荷受けステージの斜材遊端部と梁枠基端部とをつなぐ吊り材と、梁枠の基端部を枠組足場側に取り付ける上部側取付金具と、斜材の遊端部を枠組足場側に取り付ける下部側取付金具とが必要となって、部材点数が多くなって、製作コストが高くつくという難点があって。
【０００５】
本発明は、部材点数をできるだけ少なくし、製作コストを安くできるようにするため、荷受けステージの斜材遊端部と梁枠の基端部とをつなぐ吊り材を兼ねた取付用の金具を、Ｈ形建枠の縦材に予め設けてあるボルト挿通孔を利用して、このＨ形建枠の縦材にボルトで取り付け固定するようにした荷受けステージの取付装置を提供するものである。
【０００６】
ここで、Ｈ形建枠の構造及びこのＨ形建枠による枠組足場の組立方法について図８〜図１１を参照して説明すると、Ｈ形建枠１は、図８の(a) に示すように、両側一対の縦材２，２と、両縦材２，２をつなぐ横材３とでＨ形に形成されていて、両縦材２，２の下部側及び横材３の内周に沿って補強用のアーチ形材４が取り付けられ、そして各縦材２には、同図の(b) に示すように、横材３との接合部の下部側にボルト挿通孔５が横材３の長手方向と平行に貫設されている。尚、図において、４０は手摺り枠取付用のグラビティロック、４０ａはロック爪を示す。また、図８の(b) において、２ｏはボルト挿通孔５の内方端部に固着された台座を示す。
【０００７】
枠組足場を組み立てるには、先ず、図１０の(a) に示すように、下端部にジャッキベース４３を取り付けたＨ形建枠１を一定間隔おきに建て込み、対向するＨ形建枠１，１間には手摺り枠４２をグラビティロック４０に嵌め込みながら取り付けてゆく。Ｈ形建枠１による１段目の組立が終わったら、同図の(b) に示すように、階段取付用の補助枠４１を各Ｈ形建枠１に取り付け、対向する補助枠４１，４１間にも手摺り枠４２を取り付ける。
【０００８】
この補助枠４１をＨ形建枠１に取り付ける際には、図９の(a) ，(b) に示すように、Ｈ形建枠１の縦材２に予め設けてあるボルト挿通孔５を利用して、補助枠４１の連結板４４からＨ形建枠１の縦材２のボルト挿通孔５にボルト４５を挿通してナット４６で締め付け固定する。尚、補助枠４１は、縦材４７とこれの中央部に片持ち状態に固定された横材４８と、アーチ状補強材４９と、横材４８及び補強材４９の先端部に取り付けられた連結板４４とからなるもので、連結板４４にはボルト挿通孔（図示省略）が設けてある。
【０００９】
補助枠４１及び手摺り枠４２の取付けが終わったら、図１０の(c) に示すように、対向するＨ形建枠１，１間、及び補助枠４１，４１間に足場板５０，５１を架け渡し、所定の補助枠４１に階段枠５２を掛ける。
【００１０】
こうして１段目のＨ形建枠１及び補助枠４１に足場板５０，５１を架け渡し、昇降箇所に階段枠５２を掛けたならば、図１１の(a) に示すように、１段目のＨ形建枠１及び補助枠４１に２段目のＨ形建枠１及び補助枠４１を連結し、手摺り枠４２を取り付けて、２段目枠組足場を組み立て、更に足場板５０，５１を架け渡し、所定の補助枠４１に階段枠５２を掛け、同図の(b) に示すような状態とし、以降同様な方法によって、多段状の枠組足場Ｗを組み立てる。
【００１１】
本発明は、上記のような構造のＨ形建枠１の縦材２に設けられているボルト挿通孔５を利用して、このＨ形建枠１の縦材２にボルトで簡単に取り付け固定できるようにした吊り材兼用金具からなる荷受けステージの取付装置を提供することを目的とする。
【課題を解決するための手段】
【００１２】
上記課題を解決するための手段を、後述する実施形態の参照符号を付して説明すると、請求項１に係る発明は、両側一対の縦材２，２と両縦材２，２をつなぐ横材３とによりＨ形に形成され且つ各縦材２には横材３との接合部の下部側にボルト挿通孔５を横材３と平行に貫設してなるＨ形建枠１の横材３，３間に足場板５０を架け渡しながら多段状に組み立てられる枠組足場Ｗから外側へ水平に張り出される梁枠６と、この梁枠６の先端下部に枢着される斜材８とを備えた荷受けステージＳを、前記枠組足場Ｗの外側部所要高さ位置に取り付けるための枠組足場用荷受けステージの取付装置であって、上下に隣合うＨ形建枠１，１の上段側Ｈ形建枠１の縦材２と下段側Ｈ形建枠１の縦材２とに亘って添装される吊り材兼用金具９からなり、前記吊り材兼用金具９は、この金具９の上下両端部に梁枠６の基端部及び斜材８の遊端部が夫々切り離し可能に連結されると共に、この金具９の上下両端部が上下に隣合うＨ形建枠１，１の夫々の縦材２に対し各縦材２のボルト挿通孔５に挿通されるボルト１０及びナット１１によって取り付け固定されるようになっていることを特徴とする。
【００１３】
請求項２は、請求項１に記載の枠組足場用荷受けステージの取付装置において、前記吊り材兼用金具９は、Ｈ形建枠１の縦材２に添接される背面板部１２と、両側板部１３，１３とによって断面コ字状に形成されていて、背面板部１２が前記ボルト１０及びナット１１によってＨ形建枠１の縦材２に固定されるようになっていると共に、両側板部１３，１３の上端部内に前記梁枠６の基端側縦枠材１４が挿入されて、両側板部１３，１３から基端側縦枠材１４を貫通するボルト１５及びナット１６によって固定され、両側板部１３，１３の下端部内に前記斜材８の遊端部が挿入されて、両側板部１３，１３から斜材８を貫通するボルト１５及びナット１６によって取り付けられるようになっていることを特徴とする。
【００１４】
請求項３は、請求項２に記載の枠組足場用荷受けステージの取付装置において、前記吊り材兼用金具９の両側板部１３，１３上端部にピン掛止用溝１８，１８が形成されていて、このピン掛止用溝１３，１３に、前記梁枠６の基端側縦枠材１４の上端部に突設された支持ピン１９が掛止されるようになっていることを特徴とする。
【００１５】
請求項４は、請求項２又は３に記載の枠組足場用荷受けステージの取付装置において、前記吊り材兼用金具９の背面板部１２にはその外面の上下両端部に夫々、Ｈ形建枠１の縦材２に嵌合するコ字状支持片１７が取り付けられていることを特徴とする。
【発明の効果】
【００１６】
上記解決手段による発明の効果を、後述する実施形態の参照符号を付して説明すると、請求項１に係る発明によれば、上下に隣合うＨ形建枠１，１の上段側Ｈ形建枠１の縦材２と下段側Ｈ形建枠１の縦材２とにわたって添装される吊り材兼用金具９からなる取付装置Ａであって、吊り材兼用金具９は、この金具９の上下両端部に荷受けステージＳの一部を形成する梁枠６の基端部及び斜材８の遊端部が夫々切り離し可能に連結されると共に、この金具９の上下両端部が上下に隣合うＨ形建枠１，１の夫々の縦材２に対し各縦材２のボルト挿通孔５に挿通されるボルト１０及びナット１１によって取り付け固定されもので、梁枠６の基端部と斜材８の遊端部とをつなぐ吊り材を兼用するようになっているから、部材点数が少なくなって、製作コストを安くすることができ、またこの吊り材兼用金具９によって荷受けステージＳを枠組足場Ｗに外側部所要高さ位置に簡単容易に取り付けることができる。
【００１７】
請求項２に係る発明によれば、吊り材兼用金具９は、Ｈ形建枠１の縦材２に添接される背面板部１２と、両側板部１３，１３とによって断面コ字状に形成されていて、背面板部１２がボルト１０及びナット１１によってＨ形建枠１の縦材２に固定されるようになっていると共に、両側板部１３，１３の上端部内に梁枠６の基端側縦枠材１４が挿入されて、両側板部１３，１３から基端側縦枠材１４を貫通するボルト１５及びナット１６によって固定され、両側板部１３，１３の下端部内に前記斜材８の遊端部が挿入されて、両側板部１３，１３から斜材８を貫通するボルト１５及びナット１６によって取り付けられるようになっているもので、構造が簡単であるから、製作が容易で安価に提供でき、しかもＨ形建枠１への吊り材兼用金具９の取付作業、及び吊り材兼用金具９への梁枠６及び斜材８の取付作業が簡単であるから、施工能率の向上を図ることができる。
【００１８】
請求項３に係る発明によれば、吊り材兼用金具９の両側板部１３，１３上端部にピン掛止用溝１８，１８が形成されていて、このピン掛止用溝１３，１３に、梁枠６の基端側縦枠材１４の上端部に突設された支持ピン１９が掛止されるようになっているから、特に、吊り材兼用金具９を先に枠組足場ＷのＨ形建枠１側に取り付けておいて、地上で斜材８の一端部を枢着した梁枠６の基端側縦枠材１４を、吊り材兼用金具９の上端部側に取り付ける際に、梁枠６の基端側縦枠材１４を吊り材兼用金具９の両側板部１３，１３上端部内に挿入しながら、基端側縦枠材１４の上端部にある支持ピン１９を上記両側板部１３，１３のピン掛止用溝１８，１８に掛止させて、梁枠６を仮置きした状態で、その基端側縦枠材１４及び斜材８の遊端部を吊り材兼用金具９の上下両端部に夫々ボルト１０及びナット１１で取り付けるようにすることによって、梁枠６の取付作業を容易にして且つ安全に行うことができる。
【００１９】
請求項４に係る発明によれば、吊り材兼用金具９の背面板部１２にはその外面の上下両端部に夫々Ｈ形建枠１の縦材２に嵌合するコ字状支持片１７が取り付けられているから、縦材２への吊り材兼用金具９の取付けが容易になると共に、吊り材兼用金具９を縦材２に対し安定状態に支持することができる。
【発明を実施するための最良の形態】
【００２０】
以下に本発明の好適実施形態を図１〜図７を参照しながら説明すると、図１は本発明に係る取付装置Ａによって枠組足場Ｗに取り付けられた荷受けステージＳの側面図であり、図２の(a) は図１の矢印イで示す部分の拡大図、(b) は図１の矢印ロで示す部分の拡大図である。枠組足場Ｗは、図８〜図１１を参照して説明したようにＨ形建枠１によって多段状に組み立てられる枠組足場であり、Ｈ形建枠１は、図８の(a) に示すように、両側一対の縦材２，２と、両縦材２，２をつなぐ横材３とによってＨ形に形成され、両縦材２，２の下部側及び横材３の内周に沿って補強用のアーチ形材４が取り付けられ、そして各縦材２には、同図の(b) に示すように、横材３との接合部の下部側にボルト挿通孔５が横材３の長手方向と平行に貫設されている。
【００２１】
図１に示すように、荷受けステージＳは、枠組足場Ｗに対し外側へ水平に張り出すように延びて互いに所定間隔に配置される複数の梁枠６と、これら複数の梁枠６相互間に架け渡される複数枚の足場板（図示省略）と、複数の梁枠６のうち両端側の梁枠３、３に夫々取り付けられる側部手摺り７，７と、両側部手摺り７，７の前端部間に取り付けられる前部手摺り（図示省略）と、各梁枠３の先端下部に枢着される斜材８とから構成される。
【００２２】
この荷受けステージＳを枠組足場Ｗの外側部所要高さ位置に取り付ける取付装置Ａは、図１に示すように上下に隣合うＨ形建枠１，１の上段側Ｈ形建枠１の縦材２と下段側Ｈ形建枠１の縦材２とに亘って添装される吊り材兼用金具９からなるもので、この吊り材兼用金具９は、この金具９の上下両端部に梁枠６の基端部及び斜材８の遊端部が夫々切り離し可能に連結されると共に、この金具９の上下両端部が、上下に隣合うＨ形建枠１の夫々の縦材２に対し、各縦材２のボルト挿通孔５に挿通されるボルト１０及びナット１１により取り付け固定されるようになっている。
【００２３】
上記吊り材兼用金具９の構造につき更に詳しく説明すれば、この吊り材兼用金具９は、図２〜図５から分かるように、上下に隣合うＨ形建枠１，１の２つの縦材２，２に亘って添接される背面板部１２と、両側板部１３，１３とにより断面コ字状に形成されていて、背面板部１２が前記ボルト１０及びナット１１によってＨ形建枠１の縦材２に固定されるようになっていると共に、図５の(a) ，(b) に示すように、両側板部１３，１３の上端部内に荷受けステージＳの梁枠６の基端側縦枠材１４が挿入されて、両側板部１３，１３から荷受けステージＳの基端側縦枠材１４を貫通するボルト１５及びナット１６によって、梁枠６の基端側縦枠材１４が吊り材兼用金具９に取り付けられ、また両側板部１３，１３の下端部内に前記斜材８の遊端部が挿入されて、両側板部１３，１３から斜材８を貫通するボルト１５及びナット１６によって斜材８の遊端部が吊り材兼用金具９に取り付けられるようになっている。
【００２４】
また、吊り材兼用金具９の背面板部１２にはその上端部の１箇所と下端部の２箇所に夫々Ｈ形建枠１の縦材２に嵌合するコ字状支持片１７が溶接によって取り付けられている。これらのコ字状支持片１７によって、縦材２への吊り材兼用金具９の取付けが容易になると共に、吊り材兼用金具９を縦材２に対し安定状態に支持することができる。
【００２５】
この吊り材兼用金具９をＨ形建枠１の縦材２に固定するボルト１０は、図３及び図４に示すように、縦材２に設けられているボルト挿通孔５から、コ字状支持片１７に設けたＵ字状切欠部１７ｏ及び吊り材兼用金具９の背面板部１２に設けたボルト挿通孔１２ｏを通って、ボルト挿通孔１２ｏの裏側に固着したナット１１に螺合されるようになっている。また、荷受けステージＳの基端側縦枠材１４及び斜材８の遊端部を夫々吊り材兼用金具９に取り付けるボルト１５は、両側板部１３，１３の一方の側板部１３に設けたボルト挿通孔１３ｏから基端側縦枠材１４又は斜材８の遊端部に設けたボルト挿通孔（図示せず）を通って、他方の側板部１３に設けたボルト挿通孔１３ｏより、このボルト挿通孔１３ｏの表側に固着したナット１６に螺合されるようになっている。
【００２６】
また吊り材兼用金具９には、図２及び図７に示すように両側板部１３，１３の上端部にピン掛止用溝１８，１８が側面視円弧状に延びるように形成されていて、このピン掛止用溝１８，１８に、梁枠６の基端側縦枠材１４の上端部両側に水平に突出する支持ピン１９が掛止されるようになっている。
【００２７】
前記荷受けステージＳの構造について更に詳しく説明すると、各梁枠６は、図２、図５及び図７に示すように、基端側縦枠材１４と、先端側縦枠材２０と、上下横枠材２１，２２と、両横枠材２１，２２間に取り付けられた複数の補強枠材２３とで枠組み形成され、基端側縦枠材１４の上端部に、支持ピン１９が梁枠６の長手方向と直交する方向に水平に貫通突設されており、そして基端側縦枠材１４の下部側には、枠組足場Ｗの縦材２に係合する平面視円弧状の係合部２４ａを有する係合部材２４が突設され、また先端側縦枠材２０の下端には、コ字形ブラケット２５が固着され、このコ字形ブラケット２５に斜材８の一端部がピン２６により枢着されている。
【００２８】
梁枠６の先端側縦枠材２０下端に枢着された斜材８は、その遊端部を吊り材兼用金具９に取り付けるまでは、梁枠６と平行姿勢に折り畳んで、この斜材８の遊端側を、基端側縦枠材１４の下端に固着してあるコ字形ブラケット２７に嵌合して蝶ねじ２８により仮止めし、そしてこの斜材８の遊端部を吊り材兼用金具９の下端部側にボルト１５で取り付ける際に、蝶ねじ２８を緩め、この斜材８の遊端部をコ字形ブラケット２７から離脱させて、両側板部１３，１３の下端部内に挿入し、両側板部１３，１３から斜材８を貫通するボルト１５及びナット１６によって、この斜材８の遊端部を吊り材兼用金具９に固定するようになっている。
【００２９】
また図２、図３、図５及び図７に示すように、梁枠６の基端側縦枠材１４を吊り材兼用金具９の上端部内に挿入する時に、基端側縦枠材１４の下部側に突設した係合部材２４を貫通させるための貫通口２９が背面板部１２に設けられ、また基端側縦枠材１４の下端に固着したコ字形ブラケット２７を避けるための切欠部３０が両側板部１３，１３に設けられている。
【００３０】
側部手摺り７は、図１，図７に示すように、基端側手摺り支柱３１と先端側手摺り支柱３２と上部手摺り枠３３と下部手摺り枠３４とによって枠組み形成され、上部手摺り枠３３の基端側は、基端側手摺り支柱３１を越えて突出し、その突出端部に周知構造のパイプクランプ３５が取り付けられ、基端側手摺り支柱３１の下端には、梁枠６の横枠材２１に嵌合可能なコ字形ブラケット３６が固着されている。両手摺り支柱３１，３２の下端部間には幅木３７が取り付けられている。前部手摺り８については省略する。
【００３１】
次に、上記のように構成される取付装置Ａによる荷受けステージＳの取付方法について説明する。この取付装置Ａにより荷受けステージＳを図１１の(b) に示すような枠組足場Ｗの外側部に取り付けるにあたっては、地上において、荷受けステージＳの梁枠６に斜材８を枢着し、これら梁枠６及び斜材８を取付装置Ａの吊り材兼用金具９に取り付けた後、これらをクレーンで吊り上げて、吊り材兼用金具９を枠組足場Ｗの所要部に取り付けるようにする場合と、先に、取付装置Ａの吊り材兼用金具９を枠組足場Ｗの所要部に取り付けた後、地上で荷受けステージＳの梁枠６に斜材８を枢着したものをクレーンで吊り上げ、これら梁枠６及び斜材８を吊り材兼用金具９に取り付けるようにする場合とがある。
【００３２】
前者の場合には、先ず、地上において、梁枠６の先端部に斜材８の一端部をピン２６で枢着し、この梁枠６の基端部及び斜材８の遊端部を吊り材兼用金具９の上下端部に夫々ボルト１５及びナット１６により取り付け固定して、これら梁枠６と斜材８と吊り材兼用金具９とからなるトラス構造体を形成する。そして、このトラス構造体の複数を所定間隔で平行に配置し、その両端の梁枠３，３に夫々側部手摺り７を取り付けて図６に示すような形態とし、これら複数のトラス構造体の梁枠３上に足場板（図示省略）を載設し、更に両側部手摺り７，７の前端部間に前部手摺り（図示省略）を取り付けることによって、図６の側面図で示すように吊り材兼用金具９に予め取り付けた荷受けステージＳを形成することができる。
【００３３】
上記のようにして荷受けステージＳを形成したならば、この荷受けステージＳの四隅に吊り用のロープ（図示せず）を掛けて、このステージＳをクレーン（図示せず）によって吊り上げ、各吊り材兼用金具９を枠組足場Ｗの外側部所要高さ位置に接近させて、各吊り材兼用金具９のコ字状支持片１７を上下に隣り合うＨ形建枠１，１の縦材２，２に嵌合させ、しかして各Ｈ形建枠１の縦材２にあるボルト挿通孔５から、ボルト１０を吊り材兼用金具９側のボルト挿通孔５を通してナット１１に螺合することによって、吊り材兼用金具９をＨ形建枠１の縦材２に取り付け固定すると同時に、この吊り材兼用金具９を介して荷受けステージＳを枠組足場ＷのＨ形建枠１に取り付ける。
【００３４】
後者の場合、即ち、先に吊り材兼用金具９を枠組足場Ｗに取り付けておいて、地上で組み付けた荷受けステージＳの梁枠６と斜材８とを吊り材兼用金具９に取り付ける場合は、図５の(a) に示すように、枠組足場Ｗの上下に隣り合うＨ形建枠１，１の縦材２，２に吊り材兼用金具９を上記同様にボルト１０及びナット１１によって取り付けておき、そして地上で梁枠６の先端部に斜材８の一端部をピン２６で枢着したものをクレーンで吊り上げて、梁枠６の基端部及び斜材８の遊端部を吊り材兼用金具９の上下端部に夫々ボルト１５及びナット１６により取り付け固定し、図５の(b) に示すような状態とする。
【００３５】
上記のように梁枠６の先端部に斜材８の一端部をピン２６で枢着したものをクレーンで吊り上げて吊り材兼用金具９に取り付ける場合、梁枠６を吊ると、斜材８がブラブラして不安定な状態となるため、この斜材８の遊端部を、梁枠６と平行に折り畳んで、基端側縦枠材１４の下端にあるコ字形ブラケット２７に嵌合して蝶ねじ２８により仮止めした状態で、梁枠６を所定高さ位置までクレーンで吊り上げた後、蝶ねじ２８を緩めて仮止めを解き、梁枠６の基端側縦枠材１４と斜材８の遊端部とを吊り材兼用金具９に取り付けるとよい。
【００３６】
また、梁枠６の基端側縦枠材１４を吊り材兼用金具９の上端部に取り付ける場合には、梁枠６の基端側縦枠材１４を吊り材兼用金具９の両側板部１３，１３上端部内に挿入しながら、基端側縦枠材１４の上端部に取り付けてある支持ピン１９を上記両側板部１３，１３のピン掛止用溝１８，１８に掛止させて、梁枠６を仮置きした状態で、その基端側縦枠材１４及び斜材８の遊端部を吊り材兼用金具９の上下両端部に夫々ボルト１０及びナット１１で取り付けるようにすることによって、梁枠６の取付作業を容易にして且つ安全に行うことができる。
【００３７】
しかして、図５の(b) に示すように梁枠６の基端部及び斜材８の遊端部を吊り材兼用金具９の上下端部に夫々取り付けた後、これら吊り材兼用金具９と梁枠６と斜材８とからなる複数のトラス構造体の両端の梁枠３，３に夫々側部手摺り７を取り付け、これら複数のトラス構造体の梁枠３上に足場板を載設し、更に両側部手摺り７，７の前端部間に前部手摺りを取り付けることによって、荷受けステージＳを形成することができる。
【００３８】
上記のようにして取付装置Ａの吊り材兼用金具９により枠組足場Ｗの外側部所要高さ位置に荷受けステージＳを取り付けるわけであるが、建築作業の進行により枠組足場が高くなって、この荷受けステージＳを一段高所側に付け替える時には、各吊り材兼用金具９をＨ形建枠１の縦材２に取り付けているボルト１０を外し、またパイプクランプ３５を外した後、荷受けステージＳをクレーンで吊って所定高さ位置まで引き上げ、その所定位置で各吊り材兼用金具９を再びボルト１０及びナット１１によってＨ形建枠１の縦材２に取り付ければよい。
【００３９】
以上のように、荷受けステージＳをＨ形建枠１からなる枠組足場Ｗの外側部所要高さ位置に取り付ける本発明の取付装置Ａは、上下に隣合うＨ形建枠１，１の上段側Ｈ形建枠１の縦材２と下段側Ｈ形建枠１の縦材２とに亘って添装される吊り材兼用金具９からなるもので、吊り材兼用金具９は、この金具９の上下両端部に梁枠６の基端部及び斜材８の遊端部が夫々切り離し可能に連結されると共に、この金具９の上下両端部が、上下に隣合うＨ形建枠１，１の夫々の縦材２に対し、各縦材２のボルト挿通孔５に挿通されるボルト１０及びナット１１によって取り付け固定されるようになっていて、梁枠６の基端部と斜材８の遊端部とをつなぐ吊り材を兼用するようになっているため、部材点数が少なくなって、製作コストを安くすることができると共に、この吊り材兼用金具９によって荷受けステージＳを枠組足場Ｗに外側部所要高さ位置に簡単容易に取り付けることができる。
【００４０】
また、吊り材兼用金具９は、Ｈ形建枠１の縦材２に添接される背面板部１２と、両側板部１３，１３とで断面コ字状に形成されて、背面板部１２がボルト１０及びナット１１によってＨ形建枠１の縦材２に固定されるようになっていると共に、両側板部１３，１３の上端部内に梁枠６の基端側縦枠材１４が挿入されて、両側板部１３，１３から基端側縦枠材１４を貫通するボルト１５及びナット１６によって固定され、両側板部１３，１３の下端部内に前記斜材８の遊端部が挿入されて、両側板部１３，１３から斜材８を貫通するボルト１５及びナット１６によって取り付けられるものであって、構造が簡単であるから、製作が容易で安価に提供でき、しかもＨ形建枠１への吊り材兼用金具９の取付作業、及び吊り材兼用金具９への梁枠６及び斜材８の取付作業が簡単であるため、施工能率の向上を図ることができる。
【図面の簡単な説明】
【００４１】
【図１】本発明に係る取付装置によって枠組足場に取り付けられた荷受けステージの側面図である。
【図２】(a) は図１の矢印イで示す部分の拡大図、(b) は図１の矢印ロで示す部分の拡大図である。
【図３】(a) は吊り材兼用金具９の側面図、(b) は正面図、(c) は背面図、(d) は底面図である。
【図４】(a) は図３の(b) の矢印ハで示す部分の拡大図、(b) は図３の(d) の拡大図である。
【図５】(a) は枠組足場のＨ形建枠側に取り付けた吊り材兼用金具に梁枠及び斜材を取り付けようとしている状態を示す斜視図、(b) はその取り付けを終えた状態の斜視図である。
【図６】吊り材兼用金具に荷受けステージの梁枠及び斜材を取り付けた状態の側面でである。
【図７】吊り材兼用金具の上端部に梁枠の基端側縦枠材を取り付けようにしている状態の斜視図である。
【図８】(a) はＨ形建枠を示す正面図、(b) は(a) の矢印ニで示す部分の拡大図である。
【図９】(a) は補助枠を示す正面図、(b) は補助枠をＨ形建枠に連結した状態の一部拡大図である。
【図１０】(a) 〜(c) はＨ形建枠による枠組足場の組立方法を示す説明図である。
【図１１】(a) 及び(b) は同じく枠組足場の組立方法を示す説明図である。
【符号の説明】
【００４２】
１            Ｈ形建枠
２            縦材
３            横材
５            ボルト挿通孔
Ｓ            荷受けステージ
５            ボルト挿通孔
６            梁枠
８            斜材
９            吊り材兼用金具
１２          背面板部
１３          側板部
１４          梁枠の基端側縦枠材
１７          コ字状支持片
１８          ピン掛止用溝
１９          支持ピン
【図１】
2006233478.tif 000003
【図２】
2006233478.tif 000004
【図３】
2006233478.tif 000005
【図４】
2006233478.tif 000006
【図５】
2006233478.tif 000007
【図６】
2006233478.tif 000008
【図７】
2006233478.tif 000009
【図８】
2006233478.tif 000010
【図９】
2006233478.tif 000011
【図１０】
2006233478.tif 000012
【図１１】
2006233478.tif 000013